【手続補正書】
【提出日】平成16年5月26日(2004.5.26)
【手続補正１】
【補正対象書類名】明細書
【補正対象項目名】発明の詳細な説明
【補正方法】変更
【補正の内容】
【発明の詳細な説明】
【０００１】
【発明の属する技術分野】
本発明は、面ファスナー止着手段を有する紙おむつに関する。
【０００２】
【従来の技術】
近年の紙おむつにおいては、従来の粘着テープからなる止着テープに代えて、面ファスナーテープにより止着するものが上市されるようになってきている。特に大人用紙おむつにおいては、高い止着強度が要求されるなどの点でこの傾向が大きい。
【０００３】
【発明が解決しようとする課題】
しかし、面ファスナー要素を基材シートに粘着剤やホットメルト接着剤などにより固定する場合、装着状態において胴回り方向の引張力が強く作用すると、面ファスナー要素が基材シートから剥がれてしまうことが知見された。特に、その剥離は面ファスナー要素の内側において生じる。
【０００４】
したがって、本発明の主たる課題は、面ファスナー要素の基材シートからの剥離を確実に防止することにある。
【０００５】
【課題を解決するための手段】
上記課題を解決した本発明の請求項１記載の発明は、背側両側縁部に取り付けられ、面ファスナーの一方の係止要素を有する止着テープと、腹側に取付けられ、面ファスナーの他方の被係止要素を有する被着テープとを有する紙おむつにおいて、
前記止着テープの係止要素は、基材シートの外方端縁の内側に位置してその裏面が基材シートに対して固定され、
前記係止要素の内方端部表面に固定されかつその内方縁を越えて基材シートに対して固定された内固定シートと、前記係止要素の外方端部表面に固定されかつその外方縁を越えて基材シートに対して固定された外固定シートとを備え、前記係止要素の外方縁および内方縁の基材シートからの剥離が防止されていることを特徴とする止着手段を有する紙おむつ。
【０００６】
請求項２記載の発明は、背側両側縁部に基部が固定され、先端部が製品状態で紙おむつの使用面側に折り重ねられ、使用時において展開され、面ファスナーの一方の係止要素を有する止着テープと、腹側に取付けられ、面ファスナーの他方の被係止要素を有する被着テープとを有する紙おむつにおいて、
前記止着テープの係止要素は、基材シートの外方端縁の内側に位置してその裏面が基材シートに対して固定され、
前記係止要素の内方端部表面からその内方縁を越える内固定シートが、内方端部表面および基材シートに対して固定され；前記基材シートの先端部が内側に折り返されその折り返し端部が前記係止要素の外方縁を越えて外方端部表面にまで延在し、その外方端部表面に固定されかつこの固定個所から少なくともその外方縁を越えた部分にわたって折り返し部が基材シートの非折り返し部に固定され；前記係止要素の外方縁および内方縁の基材シートからの剥離が防止されていることを特徴とする止着手段を有する紙おむつである。
【０００７】
請求項３記載の発明は、基材シートの基部は紙おむつの裏面シートに固定され、前記内固定シートは紙おむつの表面シート上にまで延在しその表面シートに固定されている請求項１または２記載の止着手段を有する紙おむつである。
【０００８】
【発明の実施の形態】
以下本発明を図面に示す実施の形態を参照しながらさらに詳説する。
図１は紙おむつの展開状態平面図である。この紙おむつは、不織布などからなる長方形形状の透液性トップシート１とポリエチレンなどの砂時計形状の不透液性バックシート２とこれらの間に介在された砂時計形状の吸収体３とを有する。図示例においては両側にバリヤーカフス４，４が形成されている。このバリヤーカフス４は、そのバリヤーシート４Ｂが不透液性バックシート２の形状と合致して外形を形成している。バリヤーカフス４には糸ゴムなどからなる弾性伸縮部材４Ａが伸長下で固定されている。脚周りには、糸ゴムなどからなる図示例では４本の弾性伸縮部材５が、バリヤーシート４Ｂと不透液性バックシート２との間にホットメルト接着剤などにより固定されている。
【０００９】
本発明においては、紙おむつの背側両側縁部において、すなわち不透液性バックシート２とバリヤーシート４Ｂとがホットメルト接着剤７により重ね合わされてフラップとして構成される背側両側縁部において、止着テープ１０の基部が固定され、先端部が図１の左方に示されているように、製品状態で紙おむつの使用面側に折り重ねられ、使用時においては図１の右方に示すように展開される。
【００１０】
この止着テープ１０は、面ファスナーの一方の係止要素１１を有する。これに対して、紙おむつの腹側には、面ファスナーの他方の被係止要素を有する被着テープ６が固定されている。
【００１１】
止着テープ１０は、図２および図３に示すように、基材シート１２を有し、この基材シート１２はその基部がホットメルト接着剤１３により不透液性バックシート２に固定されている。この基材シート１２に対してたとえば茸状の係止要素１１が設けられ、基材シート１２の外方端縁の内側に位置してその裏面が基材シート１２に対してホットメルト接着剤１４により固定されている。
【００１２】
また、内固定シート１５が設けられている。この内固定シート１５は、係止要素１１の内方端部表面からその内方縁を越え、紙おむつの表面シートを構成するバリヤーシート４Ｂまでわたっており、係止要素１１の内方端部表面、基材シート１２およびバリヤーシート４Ｂにホットメルト接着剤１６により固定されている。
【００１３】
他方、基材シート１２は、その先端部が内側に折り返されその折り返し端部が係止要素１１の外方縁を越えて外方端部表面にまで延在し、その外方端部表面にホットメルト接着剤１３により固定され、かつこの固定個所からその外方縁を越えた部分にわたって折り返し部が基材シート１２の非折り返し部に固定されている。
【００１４】
これらの構成によって、係止要素１１の外方縁および内方縁の基材シート１２からの剥離が防止されている。
【００１５】
仮にかかる構成ができない場合、特に内固定シート１５が設けられない場合、図５に示すように、装着状態において、腹側と背中側とで矢印方向の引張力が作用した場合、破線で示すように、係止要素１１が基材シート１２から剥がれる。
【００１６】
しかるに、前述のように、少なくとも内固定シート１５により、係止要素１１の内方端部を内覆い部１５Ａで覆いかつ固定すると、その剥離を防止できる。係止要素１１の外方端部を外覆い部１３Ａで覆いかつ固定することは剥離防止効果をもたらすとともに、内覆い部１５Ａと同様に、係止要素１１の縁が着用者に当たり皮膚を痛めることを防止できる利点がある。
【００１７】
係止要素の前後について覆い固定することは必要ではない。逆に、仮にその態様に採るとすれは、製造上位置決めなどの困難性を伴う。
【００１８】
図４は他の態様を示したもので、外固定シート１７が設けられ、係止要素１１の外方端部表面に外覆い部１７Ａがホットメルト接着剤１８により固定されかつその外方縁を越えて基材シート１２に対して固定されたものである。
【００１９】
【発明の効果】
以上のとおり、本発明によれば、面ファスナー要素を基材シートから剥離することを確実に防止することができるなどの利点がもたらされる。
【手続補正２】
【補正対象書類名】図面
【補正対象項目名】図３
【補正方法】変更
【補正の内容】
【図３】
1998328236.tif 000001
【手続補正３】
【補正対象書類名】図面
【補正対象項目名】図４
【補正方法】変更
【補正の内容】
【図４】
1998328236.tif 000002